(57)【要約】【課題】  動作ノイズを可能な限り低減することが可能な表示装置を提供する。【解決手段】  シロッコファン３１の吸気面３１Ｍが、筐体１０（下ケース１２）の下面に設けられた吸気窓１２Ｗに対して反対側を向くようにする。シロッコファンの吸気面が吸気窓を向いている場合と比較して、吸気面３１Ｍが吸気窓１２Ｗから遠ざかり、その吸気面３１Ｍと吸気窓１２との間に十分な距離が確保されるため、外気Ｇの急速な流れや乱流現象に起因して吸気面３１Ｍ近傍において風切り音が発生したとしても、その風切り音が吸気面３１Ｍから吸気窓１２Ｗに至る過程において減衰し、その吸気窓１２Ｗから漏れにくくなる。また、吸気面３１Ｍ近傍に吸気窓１２Ｗが存在しないため、この吸気窓１２Ｗの存在に起因する風切り音が発生しにくくなり、その風切り音の音量も十分に抑えられる。これにより、吸気窓１２Ｗから外部に漏れる風切り音の絶対音量が減少する。【選択図】    図４
2005084223.tif 000002
【特許請求の範囲】
【請求項１】
筐体の内部に、映像を表示する光学機構と、この光学機構を冷却する冷却機構とを備えた表示装置であって、
前記冷却機構は、１つの吸気面を有する送風手段を含み、
この送風手段は、前記筐体の一面に設けられた吸気窓を通じて導入された外気を前記吸気面から吸い込むことにより前記光学機構へ向けて送風するものであり、その吸気面は、前記吸気窓に対して反対側を向いている
ことを特徴とする表示装置。
【請求項２】
前記冷却機構は、さらに、前記吸気窓が設けられた前記筐体の一面と共に前記送風手段を収納するための収納空間を構成すると共に前記吸気窓を通じて導入された外気を前記送風手段の前記吸気面へ導くための吸気路を構成する吸気路構成部材を含む
ことを特徴とする請求項１記載の表示装置。
【請求項３】
前記吸気路構成部材は、前記吸気窓の設置領域に対応する領域に配置されている
ことを特徴とする請求項２記載の表示装置。
【請求項４】
前記吸気路構成部材は、前記送風手段の平面形状の外周に沿って設けられており、その送風手段の側面との間に設けられた隙間を通じて前記吸気面へ外気を導くものである
ことを特徴とする請求項２記載の表示装置。
【請求項５】
前記吸気路構成部材のうちの前記吸気面に対向する面がその吸気面から離間されており、前記吸気路構成部材の前記吸気面に対向する面と前記吸気面との間に前記収納空間の一部を構成する第１の吸気空間が確保されている
ことを特徴とする請求項２記載の表示装置。
【請求項６】
前記冷却機構は、さらに、前記吸気路構成部材に連通され、前記送風手段から送風された外気を前記光学機構へ導くための送風路を構成する送風路構成部材を含む
ことを特徴とする請求項２記載の表示装置。
【請求項７】
前記筐体に、前記送風手段を前記吸気窓から離間させて支持するための支持柱が設けられており、
前記送風手段と前記吸気窓との間に前記収納空間の他の一部を構成する第２の吸気空間が確保されている
ことを特徴とする請求項２記載の表示装置。
【請求項８】
前記筐体が所定の支持体上に載置される場合に、
この筐体のうちの前記支持体に対向する面に前記吸気窓が設けられている
ことを特徴とする請求項１記載の表示装置。
【請求項９】
前記送風手段は、片面吸気型のシロッコファンである
ことを特徴とする請求項１記載の表示装置。
【請求項１０】
前記光学機構は、光源から照射された光を液晶パネルを利用して映像用の光に変換し、その映像用の光を投射することにより映像を表示するものである
ことを特徴とする請求項１記載の表示装置。
【発明の詳細な説明】
【技術分野】
【０００１】
本発明は、映像を表示する表示装置に係り、特に、映像表示用の光学機構を冷却する冷却機構を備えた表示装置に関する。
【背景技術】
【０００２】
近年、映像を表示する表示装置として、多様な表示機構を有するものが知られている。この表示装置として、最近では、例えば、被投射体（例えばスクリーン）に映像用の光を投射することにより映像を表示する投射型表示装置（いわゆるプロジェクタ）が普及しつつある。
【０００３】
このプロジェクタは、主に、筐体の内部に、映像を表示する光学機構と、この光学機構を冷却する冷却機構とを備えている。この種のプロジェクタでは、映像の表示時に光学機構が発熱し、実装密度の高い光学機構周辺において蓄熱しやすいため、僅かなスペースを使用して光学機構を効果的に冷却することを目的として、一般に、静圧の高い片面吸気型のシロッコファンを含んで冷却機構が構成されている。この種の冷却機構では、例えば、吸気効率を高めるために、シロッコファンの吸気面が筐体の一面に設けられた吸気窓を向いており、その吸気窓を通じて吸気面からシロッコファンに吸い込まれた外気が冷却風として光学機構へ向けて送風されるようになっている。
【発明の開示】
【発明が解決しようとする課題】
【０００４】
ところで、プロジェクタを使用するユーザの観点から見れば、プロジェクタ使用時に可能な限り動作音（動作ノイズ）がしない方が好ましい。しかしながら、従来のプロジェクタでは、シロッコファンの吸気面が吸気窓を向いている構造的要因に起因して、そのシロッコファンの回転駆動時に生じるモータ音や、シロッコファンが吸気面から外気を吸い込む際に生じる風切り音が吸気窓から外部に漏れやすいため、動作ノイズを十分に低減させることが困難であるという問題があった。
【０００５】
この動作ノイズの低減を目的としたプロジェクタに関しては、既にいくつかの構成例が提案されている。具体的には、例えば、筐体の側面に吸気窓が設けられており、シロッコファンの吸気面が上方を向いている構成のプロジェクタが知られている（例えば、特許文献１参照。）。しかしながら、この種の構成を有するプロジェクタは、動作ノイズを低減させる上で確かに有用であるものの、実際にユーザが要望する動作ノイズ水準を考慮すれば、その動作ノイズの低減効果は十分とは言えず、未だ改善の余地がある。
【特許文献１】特開２００３−００５２９１号公報
【０００６】
なお、動作ノイズを低減させる方策としては、上記したようにプロジェクタを構成する以外に、例えば、シロッコファンの吸気面を吸気窓に対して横方向にずらし、すなわち吸気面が吸気窓に対向しないようにシロッコファンを配置した上で、吸気面と吸気窓との間を専用のダクトで連結させる手法が考えられる。しかしながら、この場合には、ダクトを通じて吸気窓から吸気面へ外気を導く過程において圧力損失が生じるため、冷却風の送風量が減少しやすくなる。しかも、この場合には、ダクト設置用のスペースを要するため、プロジェクタの大型化を招いていしまうと共に、ダクトの設置スペースを除いた領域に吸気窓を設置しなければならないため、吸気窓の設置面積を確保し得なくなる。
【０００７】
本発明はかかる問題点に鑑みてなされたもので、その目的は、動作ノイズを可能な限り低減させることが可能な表示装置を提供することにある。
【課題を解決するための手段】
【０００８】
本発明に係る表示装置は、筐体の内部に、映像を表示する光学機構と、この光学機構を冷却する冷却機構とを備えたものであり、冷却機構が、１つの吸気面を有する送風手段を含み、この送風手段が、筐体の一面に設けられた吸気窓を通じて導入された外気を吸気面から吸い込むことにより光学機構へ向けて送風するものであり、その吸気面が、吸気窓に対して反対側を向いているものである。
【０００９】
本発明に係る表示装置では、送風手段の吸気面が吸気窓に対して反対側を向いているため、送風手段の吸気面が吸気窓を向いている場合とは異なり、吸気面が吸気窓から遠ざかり、その吸気面と吸気窓との間に十分な距離が確保される。この場合には、送風手段の吸気面近傍において外気の急速な流れや乱流現象に起因して風切り音が発生したとしても、その風切り音が吸気面近傍から吸気窓に至る過程において減衰するために外部に漏れにくくなると共に、送風手段の吸気面近傍において吸気窓の存在に起因する風切り音が生じにくくなるため、風切り音の音量が抑えられる。これにより、吸気窓から外部に漏れる風切り音の絶対音量が減少する。
【発明の効果】
【００１０】
本発明に係る表示装置によれば、送風手段の吸気面が吸気窓に対して反対側を向いている構造的特徴に基づき、その送風手段の動作時に吸気窓から外部に漏れる風切り音の絶対音量が減少するため、動作ノイズを可能な限り低減させることができる。
【発明を実施するための最良の形態】
【００１１】
以下、本発明の実施の形態について、図面を参照して詳細に説明する。
【００１２】
まず、図１〜図３を参照して、本発明の一実施の形態に係る表示装置の構成について説明する。図１は表示装置の外観構成を表している。また、図２および図３は図１に示した表示装置の内部構成を表しており、図３では図２に示した表示装置の内部構成の位置関係を見やすくするために主要な構成要素を互いに離間させた状態を示している。なお、以下では、図１〜図３に示したＹ軸方向における手前側を「前」または奥側を「後」とし、Ｚ軸方向における上側を「上」または下側を「下」として表記する。
【００１３】
図１〜図３に示した表示装置は、例えば、被投射体（例えばスクリーン）に映像用の光を投射することにより映像を表示する投射型表示装置（いわゆるプロジェクタ）であり、より具体的には、光源から照射された光を液晶の駆動機構（液晶パネル）を利用して映像用の光に変換する液晶プロジェクタである。
【００１４】
この表示装置は、例えば、図１に示したように、上ケース１１と下ケース１２とにより構成され、後述する投射レンズ２６（図２および図３参照）に対応する箇所に投射窓１３が設けられた箱状構造を有する筐体１０の内部に、映像表示用の光学機器または光学部品が搭載された構成を有している。この筐体１０（下ケース１２）の下面には、例えば、図３に示したように、後述する冷却機構３０（図２および図３参照）に対応する箇所に吸気口１２Ｋが設けられており、この吸気口１２Ｋには、吸気用の吸気窓１２Ｗが設けられた吸気カバー１２Ｃが吸気フィルタ１４を介して着脱可能に取り付けられている。なお、吸気窓１２Ｗが設けられている筐体１０（下ケース１２）の下面とは、例えば、筐体１０が所定の支持体（例えばテーブル等）上に載置される場合に、その筐体１０のうちの支持体に対向する面である。
【００１５】
この表示装置は、筐体１０の内部に、例えば、図２および図３に示したように、映像を表示する光学機構２０と、この光学機構２０を冷却する冷却機構３０とを備えており、これらの光学機構２０および冷却機構３０は、いずれも下ケース１２上に設置されている。この下ケース１２上において、例えば、光学機構２０は一方の角部（例えば左奥側の角部）近傍に配置されており、冷却機構３０は光学機構２０が配置されている角部に対して対角線上に位置する反対側の角部（例えば右手前側の角部）近傍に配置されている。なお、図２および図３では、上ケース１１の図示を省略している。
【００１６】
光学機構２０は、例えば、光を照射する光源ユニット２１と、この光源ユニット２１から照射された光を映像用の光に変換する光学ユニット２４とを含んで構成されている。
【００１７】
光源ユニット２１は、例えば、ホルダ状構造を有するユニットケース２２により、図示しないリフレクタにより支持された状態で光源２３が保持された構成を有している。この光源２３は、白色光を照射するものであり、例えば水銀ランプである。ユニットケース２２の側面には、光源２３から照射された光を光学ユニット２４へ導くための開口が設けられており、この開口に光透過用のレンズ（図示せず）が取り付けられている。
【００１８】
光学ユニット２４は、例えば、箱状構造を有し、前面に映像投射用の投射レンズ２６が取り付けられたユニットケース２５の内部に、色合成用の色合成装置２７が収納された構成を有している。
【００１９】
色合成装置２７は、光源ユニット２１から導かれた光、より具体的には色の３原色に対応する３種類の光（Ｒ（Red ），Ｇ（Green ），Ｂ（Blue））を合成して映像用の光に変換するものである。この色合成装置２７は、例えば、３種類の光に対応した映像パターン形成用の３つの液晶パネル２８Ｒ，２８Ｇ，２８Ｂと、色合成用の色合成プリズム（４Ｐプリズム）２９とを含んで構成されており、ユニットケース２５の上面側に開口するように設けられた収納空間２５Ｓに収納されている。ユニットケース２５の側面には、光源ユニット２１から光を導き入れるための開口が設けられており、この開口に光透過用のレンズ（図示せず）が取り付けられている。このユニットケース２５は、上記した光透過用のレンズ同士を対向させるようにユニットケース２２と連結可能になっている。なお、ユニットケース２５の内部には、上記した色合成装置２７と共に他の光学部品も収納されているが、その他の光学部品に関しては後述する（図６参照）。
【００２０】
冷却機構３０は、筐体１０（下ケース１２）の一面（下面）に設けられた吸気窓１２Ｗを通じて外部から外気を導入させることにより、その外気を冷却風として光学機構２０へ供給するものであり、例えば、外気の誘導路を構成する吸気ダクト３２および送風ダクト３３を有し、その吸気ダクト３２の内部にシロッコファン３１が収納された構成を有している。
【００２１】
シロッコファン３１は、互いに対向する２つの面（上面，下面）のうちの一方の面に吸気面３１Ｍを有し、すなわち１つの吸気面３１Ｍを有する片面吸気型のファンである。このシロッコファン３１は、吸気ダクト３２を経由して吸気面３１Ｍから吸い込んだ外気を冷却風として送風ダクト３３を経由して光学機構２０へ送風する送風手段としての機能を有している。
【００２２】
吸気ダクト３２は、吸気窓１２Ｗが設けられた筐体１０（下ケース１２）の一面（下面）と共にシロッコファン３１を収納するための収納空間３２Ｓを構成すると共に、吸気窓１２Ｗを通じて導入された外気をシロッコファン３１の吸気面３１Ｍへ導くための吸気路３２Ｔを構成する吸気路構成部材である。この吸気ダクト３２は、例えば、シロッコファン３１を上方および側方から覆う略箱状構造を有しており、吸気窓１２Ｗの設置領域に対応する領域に配置されている。
【００２３】
送風ダクト３３は、吸気ダクト３２に連通され、シロッコファン３１から送風された外気を光学機構２０へ導くための送風路３３Ｔを構成する送風路構成部材である。この送風ダクト３３は、シロッコファン３１の設置位置から光学機構２０のうちの色合成装置２７の設置位置まで延設されたダクト構造を有しており、その延設された一端側には、色合成装置２７を構成する３つの液晶パネル２８Ｒ，２８Ｇ，２８Ｂに対応してそれぞれ位置し、各液晶パネル２８Ｒ，２８Ｇ，２８Ｂに互いに独立して外気を送風するための３つの送風口３３ＫＲ，３３ＫＧ，３３ＫＢが設けられている。
【００２４】
ここで、図１〜図５を参照して、本発明の特徴である冷却機構３０の構成について詳細に説明する。図４および図５は図２および図３に示した冷却機構３０およびその周辺構造の断面構成を拡大して表しており、図４は図３に示したＩＶ−ＩＶ線（ＸＺ面）に沿った断面構成を示し、図５はＸＹ面に沿った断面構成を示している。なお、図４に示した一点鎖線の矢印Ｇは外気の流れを表している。
【００２５】
シロッコファン３１の吸気面３１Ｍは、図４に示したように、上方、すなわち筐体１０（下ケース１２）の一面（下面）に設けられた吸気窓１２Ｗに対して反対側を向いている。筐体１０の内部、すなわち下ケース１２のうちの吸気窓１２Ｗの周囲には、シロッコファン３１を吸気窓１２から離間させて支持するための支持柱としてのリブ１２Ｒが設けられており、シロッコファン３１はリブ１２Ｒにより下ケース１２から持ち上げられ、そのシロッコファン３１と吸気窓１２Ｗとの間に収納空間３２Ｓの一部を構成する吸気空間（第１の吸気空間）３２Ｓ１が確保されている。このリブ１２Ｒは、例えば、下ケース１２と一体形成されたものであり、そのリブ１２Ｒにより持ち上げられたシロッコファン３１と吸気窓１２Ｗとの間の間隔Ｖは、約１０ｍｍである。ただし、間隔Ｖは必要に応じて自由に変更可能である。なお、図４では、断面構成を示している関係上、リブ１２Ｒが１つしか示されていないが、実際には、シロッコファン３１を安定に支持するに足る複数のリブ１２Ｒが下ケース１２に設けられている。
【００２６】
吸気ダクト３２のうちのシロッコファン３１の吸気面３１Ｍに対向する面（上面）は、例えば、図４に示したように、吸気面３１Ｍから離間されており、その吸気ダクト３２の上面と吸気面３１Ｍとの間に収納空間３２Ｓの他の一部を構成する吸気空間（第２の吸気空間）３２Ｓ２が確保されている。この吸気ダクト３２は、例えば、図５に示したように、ねじ固定用の複数の突起部（取付部）３１Ｆを有するシロッコファン３１の平面形状の外周に沿って、そのシロッコファン３１との間に隙間Ｐを確保するように設けられており、図４に示したように、外気Ｇの誘導路として吸気空間３２Ｓ１、隙間Ｐおよび吸気空間３２Ｓ２の順に経由して外気Ｇをシロッコファン３１の吸気面３１Ｍへ導くものである。これらの吸気空間３２Ｓ１、隙間Ｐおよび吸気空間３２Ｓ２は、例えば、吸気空間３２Ｓ１が吸気ダクト３２内に外気Ｇを十分に導入し得ると共に下ケース１２に十分な面積の吸気窓１２Ｗを確保し得る大きさであり、隙間Ｐが吸気空間３２Ｓ１から吸気空間３２Ｓ２へ外気Ｇを十分に誘導し得る間隔であり、吸気空間３２Ｓ２が吸気面３１Ｍに外気Ｇを十分に吸いこませ得ると共に吸気面３１Ｍ近傍において意図しない風切り音を生じ得ない大きさであることが好ましい。この吸気ダクト３２の側面には、シロッコファン３１の高さ位置に対応する箇所に、送風ダクト３３へ外気Ｇを導くための開口部３２Ｋが設けられている。
【００２７】
送風ダクト３３は、例えば、図４に示したように、吸気ダクト３２の側面に設けられた開口部３２Ｋと連通するように連結されており、その開口部３２Ｋから下ケース１２に沿って下方に折れ曲がったのちに送風口３３ＫＲ，３３ＫＢを通じて上方に向かって外気Ｇを送風可能に延設されている。なお、送風口３３ＫＲ，３３ＫＢに関して上記した送風ダクト３３の送風経路は、図４に示していない送風口３３ＫＧに関しても同様である。
【００２８】
次に、図３および図６を参照して、光学機構２０の詳細な構成について説明する。図６は、光学機構２０の詳細な構成を模式的に表す図である。
【００２９】
光学機構２０は、図３および図６に示したように、光源ユニット２１（ユニットケース２２，光源２３）および光学ユニット２４（ユニットケース２５，投射レンズ２６，色合成装置２７（液晶パネル２８Ｒ，２８Ｇ，２８Ｂ，色合成プリズム２９））を含んで構成されており、特に、図６に示したように、光学ユニット２４は、ユニットケース２５の内部に、上記した色合成装置２７と共に、光源２３から照射された光Ｌ１の光路上に、その光源２３から遠い順に配置された反射ミラー４１Ｒおよびダイクロイックミラー４１Ｇ，４１Ｂと、反射ミラー４１Ｒおよびダイクロイックミラー４１Ｂにそれぞれ対応して配置された反射ミラー４２，４３とを収納している。
【００３０】
色合成装置２７は、略立方体構造を有する色合成プリズム２９の前面が投射レンズ２６を向くように配置され、残りの左側面、後面および右側面にそれぞれ液晶パネル２８Ｒ、２８Ｇおよび２８Ｂが配置された構成を有している。
【００３１】
ダイクロイックミラー４１Ｂは、光源２３から照射された光（白色光）Ｌ１の光路に対して傾いて配置されることにより波長分離用のハーフミラーとして機能するものであり、すなわち光Ｌ１の中から青色の光Ｌ１Ｂを分離して反射させることにより反射ミラー４３へ導くと共に、その青色の光Ｌ１Ｂを除いた残りの光を透過させることによりダイクロイックミラー４１Ｇへ導くものである。反射ミラー４３は、ダイクロイックミラー４１Ｂにおいて分離された光Ｌ１Ｂを反射して液晶パネル２８Ｂへ導くためのものである。
【００３２】
ダイクロイックミラー４１Ｇは、ダイクロイックミラー４１Ｂとほぼ同様の構成および機能を有するものであり、すなわちダイクロイックミラー４１Ｂを透過した光の中から緑色の光Ｌ１Ｇを分離して反射させることにより液晶パネル２８Ｇへ導くと共に、残りの光を透過させることにより反射ミラー４１Ｒへ導くものである。このダイクロイックミラー４１Ｇは、例えば、液晶パネル２８Ｇに対応して配置されており、すなわち他の反射ミラー４１Ｒおよびダイクロイックミラー４１Ｂとは異なり、反射ミラー４２，４３を経由せずに光Ｌ１Ｇを液晶パネル２８Ｇへ直接導き得るように配置されている。
【００３３】
反射ミラー４１Ｒは、ダイクロイックミラー４１Ｇを透過した光、すなわち赤色の光Ｌ１Ｒを反射させることにより反射ミラー４２へ導くものである。反射ミラー４２は、反射ミラー４１Ｒにおいて分離された光Ｌ１Ｒを反射して液晶パネル２８Ｒへ導くためのものである。
【００３４】
なお、光学ユニット２４のユニットケース２５の内部には、上記した一連の光学部品以外に、図示しない他の光学部品も収納されている。この「他の光学部品」としては、例えば、集光用のレンズや偏光用の偏光板などである。
【００３５】
次に、図１〜図６を参照して、表示装置の動作について説明する。
【００３６】
この表示装置では、図１〜図３に示したように、筐体１０の内部に収納された光学機構２０において、光学ユニット２４が光源ユニット２１の光源２３から照射された光を映像用の光に変換すると、その映像用の光が筐体１０に設けられた投射窓１３を通じて外部のスクリーンに投射されることにより、映像が表示される。
【００３７】
より具体的には、図６に示したように、光源２３から照射された光Ｌ１が反射ミラー４１Ｒおよびダイクロイックミラー４１Ｇ，４１Ｂにおいて色の３原色に対応した３色の光、すなわち反射ミラー４１Ｒを経由した赤色の光Ｌ１Ｒ、ダイクロイックミラー４１Ｇを経由した緑色の光Ｌ１Ｇ、ダイクロイックミラー４１Ｂを経由した青色の光Ｌ１Ｂに分離されると、それらの光Ｌ１Ｒ，Ｌ１Ｇ，Ｌ１Ｂが、映像に対応して液晶が配向された３つの液晶パネル２８Ｒ，２８Ｇ，２８Ｂを通過したのちに色合成プリズム２９において合成されることにより、フルカラーの映像用の光Ｌ２に変換される。
【００３８】
この際、光学機構２０の動作時に色合成装置２７に光が集中して発熱するため、冷却機構３０の吸気ダクト３２に収納されているシロッコファン３１から送風ダクト３３を通じて冷却風が送風されることにより色合成装置２７が冷却される。
【００３９】
より具体的には、図４および図５に示したように、シロッコファン３１の回転駆動動作に応じて、下ケース１２に設けられた吸気窓１２Ｗを通じて吸気ダクト３２の内部（吸気空間３２Ｓ１）に外気Ｇが導入されると、その外気Ｇが吸気路３２Ｔ、すなわち吸気空間３２Ｓ１、隙間Ｐおよび吸気空間３２Ｓ２の順に経由してシロッコファン３１の吸気面３１Ｍに吸い込まれる。そして、シロッコファン３１が吸気面３１Ｍから吸い込んだ外気Ｇを冷却風として送風ダクト３３内の送風路３３Ｔを経由して送風することにより、その外気Ｇが送風ダクト３３の一端側に設けられた３つの送風口３３ＫＲ，３３ＫＧ，３３ＫＢから色合成装置２７を構成する３つの液晶パネル２８Ｒ，２８Ｇ，２８Ｂに供給される。これにより、外気Ｇを利用して、光の集中度が高い液晶パネル２８Ｒ，２８Ｇ，２８Ｂが冷却される。
【００４０】
本実施の形態に係る表示装置では、シロッコファン３１の吸気面３１Ｍが上方を向き、すなわち筐体１０（下ケース１２）の下面に設けられた吸気窓１２Ｗに対して反対側を向くようにしたので、以下の理由により、シロッコファンの吸気面が吸気窓を向いている従来の表示装置とは異なり、動作ノイズを可能な限り低減させることができる。
【００４１】
すなわち、シロッコファン３１の吸気面３１Ｍ近傍では、一般に、外気Ｇの流速が最大となり、かつシロッコファン３１の回転駆動動作に伴って外気Ｇが乱流しやすいため、これらの外気Ｇの急速な流れや乱流現象に起因して風切り音が発生しやすくなる。この風切り音の発生程度に関しては、特に、吸気面３１Ｍ近傍に外気Ｇの流れを妨げる障害物が存在すると、その外気Ｇが障害物を回り込んで流れる現象に起因して風切り音の音量が大きくなる。
【００４２】
これらの風切り音の発生要因および発生程度を考慮すると、シロッコファンの吸気面が吸気窓を向いている従来の表示装置では、吸気面が吸気窓に近いため、その吸気面近傍において外気の急速な流れや乱流現象に起因して発生した風切り音が吸気窓から外部に漏れやすくなる。また、従来の表示装置では、外気に対して障害物となる吸気窓（具体的には、吸気窓を構成する筐体の格子面）が吸気面近傍に存在するため、この吸気窓の存在に起因して風切り音が発生しやすくなり、しかも風切り音の音量が大きくなる。この場合には、風切り音の漏れ量が多い上、その風切り音の音量も大きくなるため、動作ノイズを低減させることが困難である。
【００４３】
これに対して、シロッコファン３１の吸気面３１Ｍが吸気窓１２Ｗに対して反対側を向いている本実施の形態の表示装置では、シロッコファンの吸気面が吸気窓を向いている従来の表示装置と比較して、吸気面３１Ｍが吸気窓１２Ｗから遠ざかり、その吸気面３１Ｍと吸気窓１２Ｗとの間に十分な距離（具体的には、吸気空間３２Ｓ１、隙間Ｐおよび吸気空間３２Ｓ２を経由する距離）が確保されるため、外気Ｇの急速な流れや乱流現象に起因して吸気面３１Ｍ近傍において風切り音が発生したとしても、その風切り音が吸気面３１Ｍから吸気窓１２Ｗに至る過程において減衰し、その吸気窓１２Ｗから漏れにくくなる。また、本実施の形態の表示装置では、従来の表示装置とは異なり、吸気面３１Ｍ近傍に吸気窓１２Ｗが存在しないため、この吸気窓１２Ｗの存在に起因する風切り音が発生しにくくなり、その風切り音の音量も十分に抑えられる。したがって、本実施の形態では、風切り音の漏れ量が少なくなる上、その風切り音の音量も抑えられ、結果として吸気窓１２Ｗから外部に漏れる風切り音の絶対音量が減少するため、従来の場合とは異なり、動作ノイズを可能な限り低減させることができるのである。
【００４４】
なお、参考までに、本実施の形態の表示装置に関する動作ノイズの低減効果を、上記「発明が解決しようとする課題」の項において具体的な構成例を挙げた既知の表示装置、すなわち筐体の側面に吸気窓が設けられている場合に、吸気面が上方を向くようにシロッコファンが配置されている表示装置に関する動作ノイズの低減効果と比較すると、その動作ノイズの低減効果は、既知の表示装置よりも本実施の形態の表示装置において顕著に高くなる。なぜなら、吸気面と吸気窓との間の距離は既知の表示装置よりも本実施の形態の表示装置においてより大きくなるため、シロッコファンの回転駆動動作に起因して発生した風切り音が吸気窓から外部により漏れにくくなるからである。
【００４５】
特に、本実施の形態では、上記したように、シロッコファン３１の吸気面３１Ｍが吸気窓１２Ｗに対して反対側を向いているため、例えば、表示装置の使用時に筐体１０から意図せずに吸気カバー１２Ｃが外れた際に、その筐体１０の開口部１２Ｋに、回転駆動しているシロッコファン３１の吸気面３１Ｍが露出しない。したがって、シロッコファンの吸気面が吸気窓を向いており、吸気カバーが外れた際に筐体の開口部に吸気面が露出する従来の場合とは異なり、表示装置を使用するユーザが吸気面３１Ｍに触れて負傷することを防止することができる。なお、筐体１０から吸気カバー１２Ｃが外れた際には、シロッコファン３１の吸気面３１Ｍが吸気窓１２Ｗに対して反対側を向いていたとしても、ユーザがシロッコファン３１と吸気ダクト３２との間の隙間Ｐを通じて吸気面３１Ｍに触れる可能性が考えられるが、例えば、吸気窓１２Ｗから吸気面３１Ｍまで十分な量の外気Ｇを誘導可能とし、かつユーザが指先を通過し得ないように隙間Ｐの間隔を調整すれば、外気Ｇの誘導効率を落とすことなく、ユーザが負傷する危険性を防止することができる。
【００４６】
また、本実施の形態では、吸気窓１２Ｗから吸気ダクト３２の内部に導入された外気Ｇが、シロッコファン３１の下方の吸気空間３２Ｓ１、側方の隙間Ｐおよび上方の吸気空間３２Ｓ２を経由し、すなわちシロッコファン３１の周囲に沿って吸気面３１Ｍまで導かれるため、上記「発明が解決しようとする課題」の項において例示したように、吸気面と吸気窓との間を専用のダクトで連結させる場合とは異なり、吸気窓１２Ｗから吸気面３１Ｍまでほぼ最短距離で外気Ｇが導かれる。したがって、外気Ｇの圧力損失を抑制し、冷却風としての外気Ｇの送風量を確保することができる。
【００４７】
また、本実施の形態では、上記したように、吸気面３１Ｍと吸気窓１２Ｗとの間を専用のダクトで連結させることなく動作ノイズを低減させることが可能になる点に基づき、そのダクトを使用した場合と比較して、ダクト設置用のスペースを必要としないため、表示装置の大型化を防止することができると共に、ダクトの設置スペースを除いた領域に吸気窓１２Ｗを設置する必要がないため、吸気窓１２Ｗの設置スペースを十分に確保することができる。特に、吸気窓１２Ｗの設置スペースが十分に確保されれば、例えば、吸気フィルタ１４の目詰まり等に起因して吸気窓１２Ｗから導入される外気Ｇの導入効率が低下したとしても、全体として十分な量の外気Ｇを吸気窓１２Ｗから導入することが可能になるため、この観点においても外気Ｇの送風量の確保に寄与することができる。
【００４８】
また、本実施の形態では、筐体１０（下ケース１２）にリブ１２Ｒを設けてシロッコファン３１を持ち上げることにより、そのシロッコファン３１を吸気窓１２Ｗから離間させるようにしたので、シロッコファン３１と吸気窓１２Ｗとの間により大きな距離が確保され、そのシロッコファン３１が吸気窓１２Ｗからより遠ざけられる。したがって、風切り音を誘発するシロッコファン３１の吸気面３１Ｍが吸気窓１２Ｗからより遠ざかり、その風切り音が吸気窓１２Ｗからより漏れにくくなるため、動作ノイズを極めて低減させることができる。この場合には、特に、シロッコファン３１が吸気窓１２Ｗから離間されていることに基づき、そのシロッコファン３１の回転駆動動作時に発生するモータ音が吸気窓１２Ｗから外部へ漏れにくくなるため、この観点においても動作ノイズの低減に寄与することができる。
【００４９】
この場合には、特に、リブ１２Ｒでシロッコファン３１を持ち上げたことにより、シロッコファン３１と吸気窓１２Ｗとの間に十分な大きさの吸気空間３２Ｓ１が確保されるため、この吸気空間３２Ｓ１を利用して吸気窓１２Ｗから十分な量の外気Ｇを導入させることができる。しかも、吸気空間３２Ｓ１が十分に確保されることに基づき、吸気口１２の面積（すなわち吸気フィルタ１４の面積）が十分に確保されるため、吸気窓１２Ｗを通じた外気Ｇの吸気効率を向上させると共に、例えば目詰まり等を考慮した場合の吸気フィルタ１４の使用寿命を長期化することができる。この吸気フィルタ１４の面積を具体的に例示すれば、シロッコファン３１の吸気面３１Ｍの面積に対して吸気フィルタ１４の面積を約１．５倍〜２倍とすることが可能である。また、吸気フィルタ１４の使用寿命が長期化することに基づく効果としては、例えば、吸気フィルタ１４をスポンジフィルタまたは帯電式・静電式フィルタとし、その吸気フィルタ１４を約５００時間〜１０００時間ごとに交換するようにすれば、例えば目詰まり等に起因する送風量の低下を効果的に防止すると共に、その送風量の低下に起因する色合成装置２７（液晶パネル２８Ｒ，２８Ｇ，２８Ｂ）の蓄熱を抑制し、表示装置の動作信頼性を向上させることができる。
【００５０】
また、本実施の形態では、吸気ダクト３２のうちのシロッコファン３１の吸気面３１Ｍに対向する面がその吸気面３１Ｍから離間されており、その吸気ダクト３２の吸気面３１Ｍに対向する面と吸気面３１Ｍとの間に十分な大きさの吸気空間３２Ｓ２が確保されるため、吸気空間３２Ｓ１と同様に吸気窓１２Ｗから十分な量の外気Ｇを導入させることができる。また、吸気空間３２Ｓ２内に外気Ｇに対する障害物が存在しないため、風切り音の発生を抑え、この観点においても動作ノイズの低減に寄与することができる。
【００５１】
また、本実施の形態では、取付部３１Ｆが設けられた凹凸平面形状を有するシロッコファン３１の外周に沿って吸気ダクト３２が設けられており、そのシロッコファン３１と吸気ダクト３２との間に外気誘導用の隙間Ｐを確保するようにしたので、シロッコファン３１の凹凸平面形状を有効に活用し、そのシロッコファン３１の凹凸平面形状に基づいて吸気ダクト３２の平面形状が決定される。したがって、シロッコファン３１と吸気ダクト３２との間に隙間Ｐを確保する上で、その吸気ダクト３２の占有面積を可能な限り小さくすることが可能になるため、吸気ダクト３２の設置スペースを狭小化し、表示装置全体を小型化することができる。
【００５２】
以上、実施の形態を挙げて本発明を説明したが、本発明は上記実施の形態に限定されるものではなく、その実施の形態と同様の効果を得ることが可能な限りにおいて自由に変形可能である。具体的には、例えば、上記実施の形態では、図２〜図５を参照して冷却機構３０の構成（シロッコファン３１，吸気ダクト３２，送風ダクト３３）を説明したが、必ずしもこれに限られるものではなく、シロッコファン３１の吸気面３１Ｍが吸気窓１２Ｗに対して反対側を向いている構造的特徴に基づいて上記実施の形態と同様の効果を得ることが可能な限り、その冷却機構３０の構成は自由に変更可能である。
【００５３】
また、上記実施の形態では、筐体１０（下ケース１２）の下面に吸気窓１２Ｗが設けられており、シロッコファン３１の吸気面３１Ｍが上方を向いている場合について説明したが、必ずしもこれに限られるものではなく、シロッコファン３１の吸気面３１Ｍが吸気窓１２Ｗに対して反対側を向いている限り、筐体１０における吸気窓１２Ｗの設置位置およびシロッコファン３１の吸気面３１Ｍの向きは自由に変更可能である。具体的に一例を挙げれば、例えば、筐体１０（上ケース１１）の側面に吸気窓１２Ｗが設けられている場合には、シロッコファン３１の吸気面３１Ｍが吸気窓１２Ｗに対して反対側、すなわち横方向（吸気窓１２Ｗ設置位置と反対側の横方向）を向くようにしてもよい。この場合においても、上記実施の形態と同様の効果を得ることができる。
【００５４】
また、上記実施の形態では、本発明をプロジェクタに適用する場合について説明したが、必ずしもこれに限られるものではなく、例えば、プロジェクタと同様に片面吸気型のシロッコファンを備えた他の機器に適用することが可能である。この他の機器に本発明を適用した場合においても、上記実施の形態と同様の効果を得ることができる。
【産業上の利用可能性】
【００５５】
本発明に係る表示装置は、冷却機構を備えた例えばプロジェクタなどの表示装置に適用することが可能である。
【図面の簡単な説明】
【００５６】
【図１】本発明の一実施の形態に係る表示装置の外観構成を表す斜視図である。
【図２】図１に示した表示装置の内部構成を表す斜視図である。
【図３】図１に示した表示装置の内部構成を表す他の斜視図である。
【図４】図２および図３に示した冷却機構およびその周辺構造のＸＺ面に沿った断面構成を拡大して表す断面図である。
【図５】図２および図３に示した冷却機構およびその周辺構造のＸＹ面に沿った断面構成を拡大して表す断面図である。
【図６】図２および図３に示した光学機構の詳細な構成を模式的に表す図である。
【符号の説明】
【００５７】
１０…筐体、１１…上ケース、１２…下ケース、１２Ｃ…吸気カバー、１２Ｋ…吸気口、１２Ｒ…リブ、１２Ｗ…吸気窓、１３…投射窓、１４…吸気フィルタ、２０…光学機構、２１…光源ユニット、２２，２５…ユニットケース、２３…光源、２４…光学ユニット、２５Ｓ，３２Ｓ…収納空間、２６…投射レンズ、２７…色合成装置、２８Ｒ，２８Ｇ，２８Ｂ…液晶パネル、２９…色合成プリズム、３０…冷却機構、３１…シロッコファン、３１Ｆ…取付部、３１Ｍ…吸気面、３２…吸気ダクト、３２Ｋ…開口部、３２Ｔ…吸気路、３３…送風ダクト、３３ＫＲ，３３ＫＧ，３３ＫＢ…送風口、３２Ｓ１，３２Ｓ２…吸気空間、３３Ｔ…送風路、４１Ｇ，４１Ｂ…ダイクロイックミラー、４１Ｒ，４２，４３…反射ミラー、Ｇ…外気、Ｌ１…光、Ｌ１Ｂ…青色の光、Ｌ１Ｇ…緑色の光、Ｌ１Ｒ…赤色の光、Ｌ２…映像用の光、Ｐ…隙間、Ｖ…間隔。
【図１】
2005084223.tif 000003
【図２】
2005084223.tif 000004
【図３】
2005084223.tif 000005
【図４】
2005084223.tif 000006
【図５】
2005084223.tif 000007
【図６】
2005084223.tif 000008